【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
移動体で記録された複数の動画に係る処理を行うデータ処理装置であって、
前記複数の動画はそれぞれ、該動画の撮影期間における前記移動体の状態を示す状態データと関連付けられ、
前記データ処理装置は、
前記複数の動画を取得せずに、前記複数の動画それぞれの前記状態データを取得する第１取得手段と、
前記状態データに基づいて、前記複数の動画それぞれの取得の必要性を判定する判定手段と、
前記判定手段の判定結果に基づいて、前記複数の動画のうちから取得対象を選択する選択手段と、
を備えることを特徴とするデータ処理装置。
【請求項２】
請求項１に記載のデータ処理装置において、
前記判定手段は、前記複数の動画それぞれの前記撮影期間における前記移動体の危険性に基づいて、前記必要性を判定することを特徴とするデータ処理装置。
【請求項３】
請求項１または２に記載のデータ処理装置において、
前記状態データは、複数の種類のサブデータを含み、
前記判定手段は、前記複数の種類のサブデータを用いて前記必要性を判定することを特徴とするデータ処理装置。
【請求項４】
請求項１ないし３のいずれかに記載のデータ処理装置において、
前記複数の種類のサブデータは、第１サブデータと、第２サブデータとを含み、
前記判定手段は、
前記第１サブデータに基づいて前記必要性が判定できない前記動画のみに関して、前記第２サブデータに基づいて前記必要性を判定することを特徴とするデータ処理装置。
【請求項５】
請求項１ないし４のいずれかに記載のデータ処理装置において、
前記複数の動画のうち、前記選択手段に前記取得対象として選択された前記動画のみを取得する第２取得手段、
をさらに備えることを特徴とするデータ処理装置。
【請求項６】
請求項５に記載のデータ処理装置において、
前記第２取得手段は、前記選択手段に前記取得対象として選択された前記動画を無線通信を利用して取得することを特徴とするデータ処理装置。
【請求項７】
請求項６に記載のデータ処理装置において、
前記第２取得手段は、前記複数の動画が記憶された可搬性通信装置から、前記選択手段に前記取得対象として選択された前記動画を無線通信を利用して取得することを特徴とするデータ処理装置。
【請求項８】
移動体で記録された複数の動画に係る処理を行うデータ処理システムであって、
前記複数の動画はそれぞれ、該動画の撮影期間における前記移動体の状態を示す状態データと関連付けられ、
前記データ処理システムは、
サーバ装置と、
前記サーバ装置とネットワークを介して通信する動画処理装置と、
を備え、
前記サーバ装置は、
前記複数の動画を取得せずに、前記複数の動画それぞれの前記状態データを取得する第１取得手段と、
前記状態データに基づいて、前記複数の動画それぞれの取得の必要性を判定する判定手段と、
前記判定手段の判定結果に基づいて、前記複数の動画のうちから取得対象を選択する選択手段と、
を備え、
前記動画処理装置は、
前記複数の動画のうち、前記選択手段に前記取得対象として選択された前記動画のみを取得する第２取得手段、
を備えることを特徴とするデータ処理システム。
【請求項９】
移動体で記録された複数の動画に係る処理を行うデータ処理方法であって、
前記複数の動画はそれぞれ、該動画の撮影期間における前記移動体の状態を示す状態データと関連付けられ、
前記データ処理方法は、
（ａ）前記複数の動画を取得せずに、前記複数の動画それぞれの前記状態データを取得する工程と、
（ｂ）前記状態データに基づいて、前記複数の動画それぞれの取得の必要性を判定する工程と、
（ｃ）前記工程（ｂ）の判定結果に基づいて、前記複数の動画のうちから取得対象を選択する工程と、
を備えることを特徴とするデータ処理方法。
【請求項１０】
移動体で記録された複数の動画に係る処理を行うデータ処理装置に含まれるコンピュータにより実行可能なプログラムであって、
前記複数の動画はそれぞれ、該動画の撮影期間における前記移動体の状態を示す状態データと関連付けられ、
前記プログラムは、
（ａ）前記複数の動画を取得せずに、前記複数の動画それぞれの前記状態データを取得する工程と、
（ｂ）前記状態データに基づいて、前記複数の動画それぞれの取得の必要性を判定する工程と、
（ｃ）前記工程（ｂ）の判定結果に基づいて、前記複数の動画のうちから取得対象を選択する工程と、
を前記コンピュータに実行させることを特徴とするプログラム。
【請求項１１】
ネットワークを介して通信可能な動画処理装置から動画を取得するサーバー装置の動画取得方法であって、
移動体から移動体の状態を示すデータを取得するステップと、
動画処理装置に対して前記移動体の状態を示すデータを送信するステップと、
前記動画処理装置から移動体で記録した移動体の状態を示すデータに関する動画ファイルを受信するステップと
を有することを特徴とするサーバー装置の動画取得方法。
【請求項１２】
ネットワークを介して通信可能な動画処理装置から動画を取得するサーバー装置であって、
前記サーバー装置は、
移動体から移動体の状態を示すデータを取得する手段と、
動画処理装置に対して前記移動体の状態を示すデータを送信する手段と、
前記動画処理装置から移動体で記録した移動体の状態を示すデータに関する動画ファイルを受信する手段と
を有することを特徴とするサーバー装置。
【請求項１３】
請求項１２に記載のサーバー装置と通信可能な移動体の動画記録装置であって、
移動体の状態を示すデータ及び移動体の状態を示すデータに関する動画を記録する記録手段を備え、
移動体の状態を示すデータを動画データと別にサーバ装置に送信することを特徴とする動画記録装置。
【手続補正２】
【補正対象書類名】明細書
【補正対象項目名】００１７
【補正方法】変更
【補正の内容】
【００１７】
また、請求項１０の発明は、移動体で記録された複数の動画に係る処理を行うデータ処理装置に含まれるコンピュータにより実行可能なプログラムであって、前記複数の動画はそれぞれ、該動画の撮影期間における前記移動体の状態を示す状態データと関連付けられ、前記プログラムは、（ａ）前記複数の動画を取得せずに、前記複数の動画それぞれの前記状態データを取得する工程と、（ｂ）前記状態データに基づいて、前記複数の動画それぞれの取得の必要性を判定する工程と、（ｃ）前記工程（ｂ）の判定結果に基づいて、前記複数の動画のうちから取得対象を選択する工程と、を前記コンピュータに実行させる。
また、請求項１１の発明は、ネットワークを介して通信可能な動画処理装置から動画を取得するサーバー装置の動画取得方法であって、移動体から移動体の状態を示すデータを取得するステップと、動画処理装置に対して前記移動体の状態を示すデータを送信するステップと、前記動画処理装置から移動体で記録した移動体の状態を示すデータに関する動画ファイルを受信するステップとを有する。
また、請求項１２の発明は、ネットワークを介して通信可能な動画処理装置から動画を取得するサーバー装置であって、前記サーバー装置は、移動体から移動体の状態を示すデータを取得する手段と、
動画処理装置に対して前記移動体の状態を示すデータを送信する手段と、前記動画処理装置から移動体で記録した移動体の状態を示すデータに関する動画ファイルを受信する手段とを有する。
また、請求項１３の発明は、請求項１２に記載のサーバー装置と通信可能な移動体の動画記録装置であって、移動体の状態を示すデータ及び移動体の状態を示すデータに関する動画を記録する記録手段を備え、移動体の状態を示すデータを動画データと別にサーバ装置に送信する。